(57)【要約】【課題】鞄に簡単に着脱することができる新たな鞄用収納ケースを提供する。【解決手段】鞄用収納ケース１は、鞄４に二つ折りにして取付可能な取付部３と、収納物を収納でき、取付部３に係合可能な係合部２ｂ，２ｃを有するケース部２と、を備えたことを特徴とする。具体的には、ケース部３は、表面に輪状の第一係止部３ｂ及び第二係止部３ｃを備え、取付部２は、少なくとも一端部を中間部よりも幅狭に形成して第一係止部３ｂに挿入可能とした第一係合部２ｂと、表面に第二係止部に係合可能なフック状の第二係合部２ｃとを備えたケース１とすることができる。【選択図】図１
2016010576.tif 000002
【特許請求の範囲】
【請求項１】
鞄に二つ折りにして取付可能な取付部と、収納物を収納でき、該取付部に係合可能な係合部を有するケース部と、を備えた鞄用収納ケース。
【請求項２】
前記取付部を、二つ折り可能な長尺板状に形成し、その両端部を、磁石により磁着可能とした請求項１に記載の鞄用収納ケース。
【請求項３】
前記ケース部は、表面に輪状の第一係止部及び第二係止部を備え、前記取付部は、少なくとも一端部を中間部よりも幅狭に形成して第一係止部に挿入可能とした第一係合部と、第二係止部に係合可能なフック状の第二係合部とを備えた請求項１又は２に記載の鞄用収納ケース。
【請求項４】
前記収納物は、水筒又はＰＥＴボトルである請求項１〜３のいずれかに記載の鞄用収納ケース。
【請求項５】
前記鞄は、ランドセルである請求項１〜４のいずれかに記載の鞄用収納ケース。
【発明の詳細な説明】
【技術分野】
【０００１】
本発明は、ランドセルなどの鞄に着脱することができ、水筒や小物などを収納できる鞄用収納ケースに関する。
【背景技術】
【０００２】
ランドセルは、主に小学生などが通学時に使用し、教科書や文房具などを収納して持ち運ぶことができるものである。教科書、ノートや筆箱などをランドセルの主収納部に収納すると他の物を入れることができなくなることがあった。例えば、水筒、笛やハーモニカなどを主収納部に収納できない場合は、手提げ鞄などに入れて持ち運ぶなどの手段をとらなければならず、手が塞がることになり安全面に問題があった。
【０００３】
そのため、ランドセルに装着できるランドセル用ケースが開発されており、これに水筒や小物などを収納できるようにして手を自由に使うことができる。
例えば、下記特許文献１には、ランドセルの側壁の横ベルトに装着できるバッグが示されており、このバッグに小物などを収納し、手持小物を皆無にして交通安全の一助とすることができる。
また、下記特許文献２には、ランドセルの上部に水筒を横にして載置するためのランドセル取り付け水筒袋が示されており、この袋に水筒を収納し、手の自由を確保して安全に水筒を持ち運ぶことができる。
【先行技術文献】
【特許文献】
【０００４】
【特許文献１】実開昭５４−４９３０８号公報
【特許文献２】特開２０１１−７２３５１号公報
【発明の概要】
【発明が解決しようとする課題】
【０００５】
このように、従来のランドセル用ケースは、ランドセルと一体的になり、手が自由に使え、収納物が多いときは便利なものである。しかし、これらケースは、ランドセルの側壁の横ベルトに装着したり、ランドセルの覆い蓋に巻き付けて取り付けたりするものであり、ランドセル用に開発されたものであった。
本発明者は、鋭意研究した結果、従来とは異なる方法で簡単にランドセルに取り付けることができ、さらには、ランドセルはもちろんそれ以外の鞄にも簡単に取り付けることができる新たな収納ケースを開発した。
【０００６】
そこで、本発明の目的は、鞄に簡単に着脱することができる新たな鞄用収納ケースを提供することにあり、この収納ケースは、ランドセル以外の肩掛け鞄や手提げ鞄などにも取り付けることができるものである。
【課題を解決するための手段】
【０００７】
本発明の一実施形態の鞄用収納ケースは、鞄に二つ折りにして取付可能な取付部と、収納物を収納でき、該取付部に係合可能な係合部を有するケース部と、を備えたことを特徴とするものである。
【０００８】
上記鞄用収納ケースは、例えば、ランドセルの横襠部の上縁部に二つ折りにして取付部を取り付け、それにケース部を係合させることにより装着することができ、簡単に取り付けることができる。また、取り外す場合は持ち上げればよく、着脱容易である。手提げ鞄の開口部の上縁部や鞄に設けたポケット部の上縁部などにも取り付けることができ、ランドセル以外にも取り付けることができるものである。
【０００９】
上記鞄用収納ケースは、前記取付部を、二つ折り可能な長尺板状に形成し、その両端部を、磁石により磁着可能とすることができ、このようにすることにより、取付部が襠部などから外れにくくなる。
【００１０】
上記鞄用収納ケースは、前記ケース部を、表面に輪状の第一係止部及び第二係止部を備え、前記取付部を、少なくとも一端部を中間部よりも幅狭に形成して第一係止部に挿入可能とした第一係合部と、第二係止部に係合可能なフック状の第二係合部とを備えた構成とすることができ、このようにすることにより、第一係合部を第一係止部に挿入した後、第二係合部を第二係止部に係合することによりケース部を取付部に係合させて取り付けることができ、一体的に形成することができる。
【００１１】
上記収納ケースは、水筒又はＰＥＴボトルを収納することが好適であり、ランドセルに装着するのが好適である。
【図面の簡単な説明】
【００１２】
【図１】本発明の一実施形態の鞄用収納ケースを示した斜視図である。
【図２】図１の鞄用収納ケースをランドセルに用いた場合の一例を示した斜視図である。
【図３】図１の鞄用収納ケースのケース部の係止部側を示した側面図である。
【図４】図１の鞄用収納ケースの取付部を展開した状態を示した斜視図である。
【図５】図１の鞄用収納ケースの取付部を二つ折りにした状態を示し、係合部側を示す正面図である。
【発明を実施するための形態】
【００１３】
以下、本発明の一実施形態の鞄用収納ケースについて説明する。
【００１４】
本発明の一実施形態の鞄用収納ケース１は、図１に示すように、ケース部２と、取付部３とを備え、ケース部２は取付部３に係合可能に形成してある。
以下、鞄用収納ケース１を、図２に示すように、ランドセル４に用いた場合について説明するが、これに限定されるものではなく、例えば、鞄用収納ケース１は、肩掛け鞄やトートバックなどの手提げ鞄等にも用いることができる。
【００１５】
ケース部２は、収納物を収納できるものであり、本実施形態では、有底円筒形状としてあり、例えば、芯材を生地で被覆して形成することができる。ケース部２は、特に限定するものではないが、水筒やＰＥＴボトルなどを収納するのが好ましい。これ以外にも、笛、ハーモニカや筆記具などの小物を収納してもよい。
芯材は、適度なクッション性を有することが好ましく、例えば、ポリエチレンの発泡シートやポリプロピレンの発泡シート等を用いることができ、生地は、収納物に傷を付けにくい適度な柔軟性を有することが好ましく、例えば、ナイロンなどの合成繊維、布、革などを用いることができる。
【００１６】
ケース部２の表面２ａには、図３に示すように、取付部３に係合できる係止部が形成してあり、本実施形態では係止部として第一係止部２ｂと第二係止部２ｃとが形成してある。第一係止部２ｂ及び第二係止部２ｃは、横長長方形状の生地を表面２ａ上に沿わせて両端部付近を表面２ａに止着して輪状になるように形成してあり、第一係止部２ｂが上側、第二係止部２ｃが下側に位置させて並行状に形成してある。
【００１７】
ケース部２は、開口部に円筒状の生地で形成した覆い蓋２ｄが設けてあり、覆い蓋２ｄの上縁部周囲に挿通路を設け、そこに紐体２ｅを挿し通し、紐体２ｅにより覆い蓋２ｄを窄まらせてケース部２の開口部を閉じることができる。紐体２ｅにはコードストッパー２ｆが設けてあり、ケース部２の開口部が閉じた状態を維持できるようにしてある。
【００１８】
取付部３は、図４又は図５に示すように、二つ折りにして鞄の襠部上縁部などに取り付けできるものであり、本実施形態では、対称形状の長尺板材を二つ折りできるように形成し、例えば、芯材を生地で被覆して形成することができる。
芯材は、適度な硬さを有することが好ましく、例えば、合成樹脂板や厚紙等を用いることができ、生地は、適度な柔軟性を有することが好ましく、例えば、ナイロンなどの合成繊維、布、革などを用いることができる。
取付部３は、本実施形態では、長方形状の中間部３ａの両端部を、先端側に向けて両縁部が徐々に窄まり、先端部が中間部３ａよりも幅狭になるように延ばした形状としてある。
取付部３は、本実施形態では、係合部として第一係合部３ｂと第二係合部２ｃとを形成し、係止部に係合できるようにしてある。
第一係合部３ｂは、取付部３の一方の先端部であり、ケース部２の第一係止部２ｂに挿入できるように形成してある。
第二係合部３ｃは、左右に配したフック状に形成してあり、中間部３ａの表面上に形成してある。フック状部分の先端部分３ｄは若干撓むことができ、この先端部分を基部３ｅに当接させてあるため、第二係合部３ｃは、先端部分３ｄと基部３ｅとの間にケース部２の第二係止部２ｃに挟み込ませて係合できる。
【００１９】
第一係合部３ｂを第一係止部２ｂに上側から挿入し、第二係合部３ｃを第二係止部２ｃに下側から係合することによりケース部２と取付部３とを一体的に取り付けることができる。取付部３の中間部３ａは、第一係合部３ｂよりも幅広であるため、第一係止部２ｂに掛かり取付部３が下側に落ちない。
係止部と係合部は、面ファスナーなどで形成することもできる。
【００２０】
取付部３の先端部には、磁石を埋設することができ、取付部３を二つ折りにした際、両先端部が磁着するようにすることができる。これにより、例えば、取付部３を鞄の襠部などに二つ折りにして取り付けた際に両先端部が磁力により引き合うので外れにくくなる。
【００２１】
以下、鞄用収納ケース１の使用方法の一例について説明する。
鞄用収納ケース１を、図２に示すように、ランドセル４の横襠部４ａに取り付ける場合を説明する。
まず、取付部３の第二係合部３ｃ側の第一係合部３ｂをケース部２の第一係止部２ｂに上方から下方にやや押し込みながら挿入する。次に、取付部３を上方に移動させて、第二係合部３ｃに第二係止部２ｃを挟み込ませて係合させる。これにより、取付部３をケース部２に取り付けることができる。この状態で、取付部３の上側の先端部を折り曲げ、ランドセル４の横襠部４ａを挟み込み、取付部３の折り曲げ箇所が横襠部４の上縁部に掛かるようにして、鞄用収納ケース１をランドセル４に取付けることができる。取付部３の外側に位置する先端部は、ランドセル４の横襠部４ａのベルト４ｂの内側に挿入しておくのが好ましい。
【００２２】
ケース部２内に水筒などを収納し、コードストッパー２ｆのボタンを押しながら紐体２ｅを引くことにより覆い蓋２ｄが窄まり開口部２ａを閉じることができる。
このようにして、鞄用収納ケース１をランドセル４に簡単に取り付けることができ、水筒や小物などを収納して使用することができる。また、鞄用収納ケース１を外す際は、上側に持ち上げればよく、着脱容易なものである。
取付部３の先端部に磁石を埋設すれば、両先端部が磁力により引き合うため、横襠部４ａを強く挟み込み、鞄用収納ケース１がランドセル４から外れにくくなる。
【００２３】
上記使用方法では、ランドセル４に取り付ける方法を示したが、ランドセル４以外の鞄、例えば、手提げ鞄や肩掛け鞄などにも同様にして取り付けることができる。また、襠部だけでなく、ポケット部の上縁部などに取り付けてもよい。
鞄用収納ケース１を不使用の場合は、取付部３を二つ折りにしてケース部２に収納することもできる。
【００２４】
上記実施形態の構成態様は、本発明を限定するものとして挙げたものではなく、技術目的を共通にするかぎり変更は可能であり、本発明はそのような変更を含むものである。
【符号の説明】
【００２５】
１鞄用収納ケース  ２ケース部  ２ａ表面  ２ｂ第一係止部  ２ｃ第二係止部  ２ｄ覆い蓋  ２ｅ紐体  ２ｆコードストッパー  ３取付部  ３ａ中間部  ３ｂ第一係合部  ３ｃ第二係合部  ３ｄ先端部分  ３ｅ基部  ４ランドセル  ４ａ横襠部  ４ｂベルト
【図１】
2016010576.tif 000003
【図２】
2016010576.tif 000004
【図３】
2016010576.tif 000005
【図４】
2016010576.tif 000006
【図５】
2016010576.tif 000007